(57)【要約】【課題】テレビ放送コンテンツに関する付加情報をできるだけ簡単な方法で視聴するための受信装置および付加情報伝送方法を提供することを目的とする。【解決手段】伝送側では、付加情報の種類を識別する付加情報識別子を字幕情報の種類を識別する字幕識別子と共通の領域に格納するように構成されたデータ形式で伝送し、受信装置側では、放送コンテンツを各構成要素に分離する抽出部と、さらに字幕と付加情報を分離する字幕・付加情報抽出部を備える。【選択図】図１
2006303936.tif 000002
【特許請求の範囲】
【請求項１】
字幕情報および付加情報を格納可能なコンテンツデータであって、
前記字幕情報は、字幕情報の種類を識別する字幕識別子を含み、
前記付加情報は、付加情報の種類を識別する付加情報識別子を含み、
前記字幕情報と前記付加情報は、前記字幕識別子および前記付加情報識別子をコンテンツデータの共通の領域に含む、
ように構成されたコンテンツデータ。
【請求項２】
前記コンテンツデータは、さらに文字スーパー情報を格納可能であって、
前記文字スーパー情報は、文字スーパー情報の種類を識別する文字スーパー識別子を含み、
前記文字スーパー情報は、前記文字スーパー識別子を前記字幕識別子および前記付加情報識別子とコンテンツデータの共通の領域に含む、
ように構成された請求項１に記載のコンテンツデータ。
【請求項３】
請求項１または２に記載のコンテンツデータを含むデータを受信する受信部と、
前記受信部で受信したデータから付加情報を格納したコンテンツデータを抽出する抽出部と、
前記抽出された付加情報を出力する出力手段と、
を備えた受信装置。
【請求項４】
前記受信されたコンテンツデータに含まれる付加情報の種類に応じた指示を受け付ける制御部と
ユーザからの指示を受け付ける入力手段とをさらに備え、
前記制御部は、前記入力手段で受け付けたユーザの指示に応じて前記出力手段に付加情報を出力する、
請求項３に記載の受信装置。
【請求項５】
請求項１または請求項２に記載のコンテンツデータを生成する生成装置。
【請求項６】
請求項１または請求項２に記載のコンテンツデータを送信する送信装置。
【発明の詳細な説明】
【技術分野】
【０００１】
本発明は、テレビ放送において、映像・音声と共に付加情報を表示するようにした受信装置、並びに、情報提示方法に関するものである。
【背景技術】
【０００２】
テレビ放送においては、映像・音声の他に字幕や文字スーパーなどの文字情報や、データ放送を見ることができる。字幕・文字スーパーはテレビ番組の映像に文字を重ねて表示するサービスであり、主にドラマのセリフなどテレビ番組の映像・音声に同期して表示する場合を字幕、気象警報や地震情報、選挙速報などテレビ番組の内容とは直接関係なく随時放送される場合を文字スーパーと呼んでいる。デジタルテレビ放送においては、ＭＰＥＧ２  Ｓｙｓｔｅｍｓと呼ばれる多重化方式によって映像、音声、データを多重して伝送するが、字幕、文字スーパーは時刻同期をとりながらの想定したＰＥＳ（Ｐａｃｋｅｔｉｚｅｄ  Ｅｌｅｍｅｎｔａｒｙ  Ｓｔｒｅａｍ）形式によって伝送される。また、字幕、文字スーパーでは、複数言語を伝送することができる。視聴者は受信装置を操作することによって、提示される言語を切り替えることができる。全てのテレビ番組に字幕があるとは限らない。また、字幕がある場合でも、複数言語の伝送があるとは限らない。字幕がある場合は、電子番組ガイドＥＰＧ（Ｅｌｅｃｔｏｒｏｎｉｃ  Ｐｒｏｇｒａｍ  Ｇｕｉｄｅ）などの番組情報で字幕放送であることが提示される。
【０００３】
放送において、テレビ番組に関する付加情報を伝送する様々な方法が提案されているが、付加情報を提示する方法の一つとして、例えば、受信機画面上に付加情報有無の提示と付加情報の提示を行うことによって、テレビ番組コンテンツの付加価値を高める方法が提案されており、付加情報は、放送波に重畳、別メディアからの提供、ネットワークを介して配信、などの手段を用いて伝送される。このように、付加情報を伝送するために新たな枠組みや設備が必要とされることが多かった（例えば、特許文献１参照）。
【特許文献１】特開２００１−２５１５６５号公報
【発明の開示】
【発明が解決しようとする課題】
【０００４】
しかし、新たな枠組みや設備を備えるためには、時間やコストがかかるため、現実的には、できるだけ簡単な方法で付加情報の伝送ができることが望ましい。そこで、本発明では、新たな枠組みや設備を具備することなく、付加情報を伝送することができる装置および付加情報を表示する方法を提供することを目的とする。
【課題を解決するための手段】
【０００５】
上記の目的を達成するために、第１の発明は、字幕情報および付加情報を格納可能なコンテンツデータであって、前記字幕情報は、字幕情報の種類を識別する字幕識別子を含み、前記付加情報は、付加情報の種類を識別する付加情報識別子を含み、前記字幕情報と前記付加情報は、前記字幕識別子および前記付加情報識別子をコンテンツデータの共通の領域に含むように構成されたコンテンツデータである。
【０００６】
第２の発明は、前記コンテンツデータは、さらに文字スーパー情報を格納可能であって、前記文字スーパー情報は、文字スーパー情報の種類を識別する文字スーパー識別子を含み、前記文字スーパー情報は、前記文字スーパー識別子を前記字幕識別子および前記付加情報識別子とコンテンツデータの共通の領域に含むように構成された第１の発明のコンテンツデータである。
【０００７】
第３の発明は、第１または第２の発明に記載のコンテンツデータを含むデータを受信する受信部と、前記受信部で受信したデータから付加情報を格納したコンテンツデータを抽出する抽出部と、前記抽出された付加情報を出力する出力手段とを備えた受信装置である。
【０００８】
第４の発明は、前記受信されたコンテンツデータに含まれる付加情報の種類に応じた指示を受け付ける制御部と、ユーザからの指示を入力する入力手段をさらに備え、前記制御部は、前記入力手段からのユーザの指示に応じて前記出力手段に付加情報を出力する第３の発明の受信装置である。
【０００９】
第５の発明は、第１または第２の発明のコンテンツデータを生成する生成装置である。
【００１０】
第６の発明は、第１または第２の発明のコンテンツデータを送信する送信装置である。
【発明の効果】
【００１１】
本発明によれば、コンテンツ配信者は新たな枠組みや設備を具備することなく、簡単な方法で付加情報を提供することができる。また、受信装置においても、字幕・文字スーパーの抽出、表示処理とほとんど同様の処理で付加情報を提示することができる。
【発明を実施するための最良の形態】
【００１２】
以下、本発明の実施の形態を、図面を用いて説明する。なお、以下に述べる実施例はこの発明の構成と作用を示すのに適した例の一つであり、本発明を限定するものではない。
【００１３】
（実施の形態１）
実施の形態１では、デジタルテレビ放送の受信装置を想定し、デジタルテレビ放送のコンテンツは映像、音声、字幕・文字スーパー、番組特定情報、番組配列情報を構成要素とし、これらが多重化して伝送される。本実施の形態では、映像、音声、字幕、文字スーパー、さらに付加情報を付加して多重化し、伝送される場合について説明する。
【００１４】
図１は、本発明に係る受信装置の構成の一例を示したブロック図である。受信装置１０１は、アンテナ１０２から受信部１０３において放送コンテンツを受信し、抽出部１０４において放送コンテンツを映像、音声、字幕・付加情報、文字スーパーの構成要素に分離する。構成要素は各々の処理部へ送られる。映像は映像処理部１０５に送られ、制御部１０９を通して、表示画面１１１に表示される。音声は音声処理部１０６に送られ、制御部１０９を通して、スピーカー１１０へ送られる。字幕・付加情報は字幕・付加情報抽出部１０７へ送られ、さらに字幕と付加情報に分離される。字幕と付加情報は各々字幕処理部１１２と付加情報処理部１１３へ送られ、制御部を通して表示画面１１１に表示される。文字スーパーは、文字スーパー処理部１０８へ送られ、制御部１０９を通して表示画面１１１に表示される。制御部１０９は、切り替え手段１１４からの指示を受け付け、音声のボリューム調節や映像、字幕、文字スーパー、付加情報の表示制御を行う。
【００１５】
図２は、デジタルテレビ放送で用いられているデータの方式を示したものである。デジタルテレビ放送では、ＭＰＥＧ２  Ｓｙｓｔｅｍｓと呼ばれる多重化方式によって映像、音声、データなどの各構成要素を多重して伝送する。各構成要素はＰＥＳ（Ｐａｃｋｅｔｉｚｅｄ  Ｅｌｅｍｅｎｔａｒｙ  Ｓｔｒｅａｍ）という形式に符号化される。ＰＥＳ２０１はＰＥＳヘッダ２０２とＰＥＳデータ領域２０３から成っており、ＰＥＳデータ領域２０３には圧縮されたデータが入る。ＰＥＳヘッダ２０２には、ＰＥＳの始まりを示すパケット開始コードプリフィックス２０４、データの種類を示すストリーム識別２０５、ＰＥＳデータ領域２０３の長さを示すＰＥＳパケット長２０６が格納されている。
【００１６】
本実施の形態において、抽出部１０４は、ＰＥＳ２０１のストリーム識別２０５によって構成要素の種類を判別し、各構成要素を各処理部へ送る。付加情報のストリーム識別２０５は字幕のストリーム識別と同様とした場合、抽出部１０４においては付加情報と字幕は同じ種類の構成要素とされ、字幕・付加情報抽出部１０７へ送られる。さらに字幕・付加情報抽出部１０７において字幕と付加情報に分離され、字幕は字幕処理部１１２へ、付加情報は付加情報処理部１１３へ送られる。
【００１７】
図３は、デジタルテレビ放送で用いられている字幕のデータ形式を示したものである。文字スーパーも同様の形式である。データ形式は図２で示した図と同様に、ＰＥＳ形式で、ＰＥＳ３０１はＰＥＳヘッダ３０２とＰＥＳデータとで構成される。字幕のデータ部分をデータグループ３０３と呼ぶ。字幕データは、データの種類やサイズを表すヘッダをつけてパッケージされる（データユニット３１４、３１８）。データユニット３１４、３１８はさらにデータグループデータ３０５にその他の情報とともにパッケージされ、このデータグループデータ３０５がＰＥＳ３０１のＰＥＳデータ（データグループ３０３）に収納されて伝送される。データグループデータ３０５には、字幕管理データと字幕文データの２種類がある。字幕管理データ３０９は時刻制御モード３１０、言語数３１１、各言語の情報３１２（字幕の表示モードなど）、データユニット長３１３、データユニット３１４で構成されている。字幕管理データ３０９は字幕に共通の設定情報などを伝送するのに用い、データユニット３１４には同コンテンツの字幕データに有効となるデータが格納されている。字幕文データ３１５は字幕の文字情報そのもの（データユニット３１８）に時刻制御モード３１６、表示開始時間３１７を付加したものである。
【００１８】
また、データグループ３０３のヘッダ部分（データグループヘッダ３０４）にはデータグループＩＤ３０７とデータグループサイズ３０８が格納されており、このデータグループＩＤ３０７によってデータグループ３０３が字幕文データか字幕管理データか、また字幕文データの言語番号（日本語、英語など）も識別できるようになっている。ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ、電波産業会）の規格では、データグループＩＤは６ビットのデータで、図４に示すデータグループＩＤ４０１が運用されている。字幕管理データ３０９が更新されるたびに、データグループＩＤ４０１の組Ａ４０２、組Ｂ４０３が切り替えて伝送される。
【００１９】
次に、図５を用いて、本発明の付加情報伝送方法の一例として、字幕データの形式を用いて、付加情報を伝送する場合について説明する。付加情報も、字幕が複数の言語を伝送できるのと同様に、複数の付加情報を伝送することが可能であるとする。複数の付加情報とは、複数の言語であってもよいし、複数の異なる情報であってもよい。例えば、チームＡとチームＢが対戦するスポーツ番組において、付加情報を伝送する場合、「第１の付加情報は日本語の解説、第２の付加情報は英語の解説」であってもよいし、「第１の付加情報はチームＡの情報、第２の情報はチームＢの情報」であってもよい。もちろん、これら以外の付加情報の伝送も可能である。
【００２０】
付加情報のデータ形式は、図２、図３で示した図と同様に、ＰＥＳ形式でＰＥＳ５０１はＰＥＳヘッダ５０２とＰＥＳデータとで構成される。付加情報のデータ部分を付加情報データグループ５０３とする。付加情報のデータは、データの種類やサイズを表すヘッダをつけてパッケージされる（付加情報データユニット５１４、５１８）。付加情報データユニット５１４、５１８はさらに付加情報データ５０５にその他の情報とともにパッケージされ、この付加情報データ５０５がＰＥＳ５０１のＰＥＳデータ（付加情報データグループ５０３）に収納されて伝送される。付加情報データ５０５には、付加情報管理データと付加情報文データの２種類がある。付加情報管理データ５０９は、時刻制御モード５１０、付加情報数５１１、各付加情報の情報５１２、付加情報データユニット長５１３、付加情報データユニット５１４で構成されている。付加情報管理データ５０９は付加情報に共通の設定情報などを伝送するのに用い、付加情報データユニット５１４には同コンテンツの付加情報データに有効となるデータが格納されている。付加情報文データ５１５は付加情報の文字情報そのもの（付加情報データユニット５１８）に時刻制御モード５１６、表示開始時間５１７を付加したものである。また、付加情報データグループ５０３のヘッダ部分（付加情報ヘッダ５０４）には付加情報識別ＩＤ５０７と付加情報サイズ５０８が格納されており、この付加情報識別ＩＤ５０７によって付加情報データグループ５０３が付加情報文データか付加情報管理データか、また付加情報文データの情報番号（付加情報１、付加情報２・・・など）も識別できるようにしておく。付加情報識別ＩＤ５０７は、字幕のデータグループＩＤ４０１と同様に６ビットのデータにし、例えば図６のように定めておく。例えば、付加情報管理データ５０９が更新されるたびに、付加情報識別ＩＤの組Ｃ６０２、組Ｃ６０４を切り替えて伝送するようにしておく。そうすると、字幕データと同様に付加情報の伝送が可能になる。
【００２１】
字幕・付加情報抽出部１０７において、データグループＩＤ３０７、付加情報識別ＩＤ５０７によって、字幕であるか付加情報であるかを判別し、字幕は字幕処理部１１２へ、付加情報は付加情報処理部１１３へ送られる。このため、データグループＩＤ３０７、付加情報識別ＩＤ５０７は図４、図６で示すように、重複しないようにしておく必要がある。各字幕の言語、各付加情報への分離は字幕・付加情報抽出部１０７で行ってもよいし、字幕処理部１１２、付加情報処理部１１３で各々行ってもよい。
【００２２】
次に、付加情報の表示について説明する。例えば、リモコンで操作可能な受信装置を想定する。図７は、少なくとも映像、音声、字幕を構成要素とする放送コンテンツに付加情報を追加して提示する場合の受信装置での表示画面の表示例を示したものである。
【００２３】
図８は、受信装置を操作するリモコンのキーの一部の配列の一例を示した図である。リモコン８０１には、チャンネルを選局するためのテンキー８０２と、字幕表示をＯＮ、ＯＦＦするための字幕キー８０３と、字幕の言語が複数であった場合に言語を切り替えるための字幕切り替えキー８０４と、付加情報の表示をＯＮ／ＯＦＦするための付加情報キー８０５と、付加情報が複数あった場合に付加情報を切り替えるための付加情報切り替えキー８０６が備えられている。字幕データがある場合、視聴者が字幕キー８０３を操作して字幕をＯＮにすると、字幕データ７０２が表示画面７０１に表示される。字幕７０２が複数言語で伝送されている場合は字幕切り替えキー８０４によって、表示画面７０１に表示させる字幕の言語を切り替えることができる。付加情報がある場合、視聴者が付加情報キー８０５を操作して付加情報をＯＮにすると、付加情報７０３が表示画面７０１に表示される。付加情報が複数伝送されている場合は、付加情報切り替えキー８０６によって、表示画面７０１に表示させる付加情報を切り替えることができる。付加情報は、字幕に連動したデータ（字幕のデータを補完あるいは詳細を示したもの）であってもよいし、互いに独立したデータであってもよい。字幕データ７０２と付加情報７０３は同時に表示画面７０１に表示させてもよいし、どちらか一方だけ表示させてもよい。また、字幕キー８０３、字幕切り替えキー８０４は一つのキーで両方の機能を兼ねてもよい（例えば、キーを押下するごとに、ＯＮ、第１言語、第２言語、・・・、ＯＦＦが切り替わる、など）。付加情報キー８０５、付加情報切り替えキー８０６は一つのキーで両方の機能を兼ねてもよい（例えば、キーを押下するごとに、ＯＮ、第１の情報、第２の情報、・・・、ＯＦＦが切り替わる、など）。また、字幕および付加情報が伝送されていることを視聴者に知らせる手段があってもよい。例えば、リモコン８０１に、放送中の番組に関する基本情報を表示するための情報表示キー８０７があるとする。図９（ａ）は情報表示キー８０７を押下したときの受信装置の表示画面の様子の一例を示した図である。表示画面９０１に、番組情報９０２が表示される。図９（ｂ）は、番組情報９０２の構成の一例を示した図である。チャンネル番号９０３、放送事業者名９０４、番組タイトル９０５、情報アイコン９０６などが表示される。情報アイコン９０６によって、放送中の番組に字幕あるいは付加情報があるかどうかを視聴者に通知することが可能である。ただし、９０３〜９０６以外の情報（例えば、放送時間など）を含んでいてもよいし、９０３〜９０６をすべて含む必要があるわけではない。また、付加情報は文字データであってもよいし、音声や画像データであってもよい。
【００２４】
なお、付加情報データグループ５０３は本発明のコンテンツデータの一例である。データグループＩＤ３０７は本発明の字幕識別子の一例である。付加情報識別ＩＤ５０７は本発明の付加情報識別子の一例である。受信装置１０１は、本発明の受信装置の一例である。受信部１０３は本発明の受信部の一例である。抽出部１０４は本発明の抽出部の一例である。スピーカー１１０と表示画面１１１は本発明の出力手段の一例である。リモコン８０１は本発明の入力手段の一例である。
【００２５】
（実施の形態２）
実施の形態２では、実施の形態１と同様、デジタルテレビ放送の受信装置を想定し、デジタルテレビ放送のコンテンツは映像、音声、字幕・文字スーパー、番組特定情報、番組配列情報を構成要素とし、これらが多重化して伝送される。実施の形態１では、付加情報のストリーム識別２０５は字幕のストリーム識別と同様とした場合について説明したが、本実施の形態では、抽出部１０４においては付加情報と文字スーパーが同じ種類の構成要素とされる場合について説明する。
【００２６】
図１０は、本発明に係る受信装置の構成の一例を示した図である。受信装置１００１は、アンテナ１００２から受信部１００３において放送コンテンツを受信し、抽出部１００４において放送コンテンツを映像、音声、字幕、文字スーパー・付加情報の構成要素に分離する。構成要素は各々の処理部へ送られる。映像は映像処理部１００５に送られ、制御部１００９を通して、表示画面１０１１に表示される。音声は音声処理部１００６に送られ、制御部１００９を通して、スピーカー１０１０へ送られる。字幕は字幕処理部１００７に送られ、制御部１００９を通して表示画面１０１１に表示される。文字スーパー・付加情報は文字スーパー・付加情報抽出部１００８へ送られ、さらに文字スーパーと付加情報に分離される。文字スーパーと付加情報は各々文字スーパー処理部１０１２と付加情報処理部１０１３へ送られ、制御部１００９を通して表示画面１０１１に表示される。文字スーパーは、文字スーパー処理部１０１２へ送られ、制御部を通して表示画面１０１１に表示される。制御部１００９は、切り替え手段１０１４からの指示を受け付け、音声のボリューム調節や映像、字幕、文字スーパー、付加情報の表示制御を行う。文字スーパーのデータ形式は図２に示されている字幕のデータ形式と同様である。よって、以下の説明は実施の形態１と同様である。
【００２７】
なお、受信装置１００１は、本発明の受信装置の一例である。受信部１００３は本発明の受信部の一例である。抽出部１００４は本発明の抽出部の一例である。スピーカー１０１０と表示画面１０１１は本発明の出力手段の一例である。
【産業上の利用可能性】
【００２８】
デジタルテレビ放送において、字幕・文字スーパーの伝送パラメータのＡＲＩＢ規格の拡張により、本発明における付加情報の伝送が容易に適用できる。また、受信装置において、付加情報識別ＩＤを判別し、表示画面への表示方法を決定する手段を設けることによって、付加情報の表示をすることが可能であるので、字幕と同期した付加情報や、あるいは、字幕がないコンテンツにおいてはコンテンツに関する字幕以外の付加情報を提示する用途にも適用できる。したがって、本発明は、デジタル放送コンテンツの作成装置、放送機器および受信装置等に適用可能である。受信装置としては、プラズマディスプレイ、ＣＲＴ型テレビジョン受信装置、携帯型デジタル放送受信装置、携帯電話端末等に適用可能である。
【図面の簡単な説明】
【００２９】
【図１】本発明の実施の形態１における受信装置の構成を示したブロック図
【図２】データ形式ＰＥＳの構造を示したデータ構造図
【図３】デジタルテレビ放送で用いられている字幕データの構造を示したデータ構造図
【図４】ＡＲＩＢ規格で運用されているデータグループＩＤの一覧を示す模式図
【図５】付加情報データの構造を示したデータ構造図
【図６】付加情報データの付加情報識別ＩＤの一覧を示す模式図
【図７】受信装置での表示画面の表示例を示す模式図
【図８】受信装置を操作するリモコンの外観図
【図９】受信装置の番組情報を表示する際の表示画面の様子の一例および番組情報表示の一例を示した模式図
【図１０】本発明の実施の形態２における受信装置の構成を示すブロック図
【符号の説明】
【００３０】
１０１    受信装置
１０２    アンテナ
１０３    受信部
１０４    抽出部
１０５    映像処理部
１０６    音声処理部
１０７    字幕・付加情報抽出部
１０８    文字スーパー処理部
１０９    制御部
１１０    スピーカー
１１１    表示画面
１１２    字幕処理部
１１３    付加情報処理部
１１４    切り替え手段
２０１    ＰＥＳ（Ｐａｃｋｅｔｉｚｅｄ  Ｅｌｅｍｅｎｔａｒｙ  Ｓｔｒｅａｍ）
２０２    ＰＥＳヘッダ
２０３    ＰＥＳデータ
２０４    パケット開始コードプリフィックス
２０５    ストリーム識別
２０６    ＰＥＳパケット長
３０１    ＰＥＳ（Ｐａｃｋｅｔｉｚｅｄ  Ｅｌｅｍｅｎｔａｒｙ  Ｓｔｒｅａｍ）
３０２    ＰＥＳヘッダ
３０３    データグループ
３０４    データグループヘッダ
３０５    データグループデータ
３０６    エラーチェック
３０７    データグループＩＤ
３０８    データグループサイズ
３０９    字幕管理データ
３１０    時刻制御モード
３１１    言語数
３１２    各言語の情報
３１３    データユニット長
３１４    データユニット
３１５    字幕文データ
３１６    時刻制御モード
３１７    表示開始時刻
３１８    データユニット
４０１    データグループＩＤ
４０２    組Ａ
４０３    組Ｂ
５０１    ＰＥＳ
５０２    ＰＥＳヘッダ
５０３    付加情報データグループ
５０４    付加情報ヘッダ
５０５    付加情報データ
５０６    エラーチェック
５０７    付加情報識別ＩＤ
５０８    付加情報サイズ
５０９    付加情報管理データ
５１０    時刻制御モード
５１１    付加情報数
５１２    各付加情報の情報
５１３    データユニット長
５１４    付加情報データユニット
５１５    付加情報文データ
５１６    時刻制御モード
５１７    表示開始時刻
５１８    付加情報データユニット
６０１    付加情報識別ＩＤ
６０２    組Ｃ
６０３    組Ｄ
７０１    表示画面
７０２    字幕データ
７０３    付加情報
８０１    リモコン
８０２    テンキー
８０３    字幕キー
８０４    字幕切り替えキー
８０５    付加情報キー
８０６    付加情報切り替えキー
８０７    情報表示キー
９０１    表示画面
９０２    番組情報
９０３    チャンネル番号
９０４    放送事業者名
９０５    番組タイトル
９０６    情報アイコン
１００１    受信装置
１００２    アンテナ
１００３    受信部
１００４    抽出部
１００５    映像処理部
１００６    音声処理部
１００７    字幕処理部
１００８    文字スーパー・付加情報抽出部
１００９    制御部
１０１０    スピーカー
１０１１    表示画面
１０１２    文字スーパー処理部
１０１３    付加情報処理部
１０１４    切り替え手段
【図１】
2006303936.tif 000003
【図２】
2006303936.tif 000004
【図３】
2006303936.tif 000005
【図４】
2006303936.tif 000006
【図５】
2006303936.tif 000007
【図６】
2006303936.tif 000008
【図７】
2006303936.tif 000009
【図８】
2006303936.tif 000010
【図９】
2006303936.tif 000011
【図１０】
2006303936.tif 000012